(57)【要約】【課題】ユーザーが復帰させる部分を簡単に指定することができる画像形成装置を提供する。【解決手段】動作モードとして、機能実行部（原稿読取部２、原稿給送部３、操作部５、通信部８、ファクス部９）に電力供給を行う通常モードと機能実行部への電力供給を停止させる省エネモードとを有し、通常モードには、電力供給を行う機能実行部の組み合わせに応じた複数種類の部分復帰（コピー、ＦＡＸ、データ通信）が設定されている画像形成装置であって、状態を変位可能に支持された可動部材である操作部５（表示部５１）と、可動部材の状態（角度）を検出する状態検出部である角度検出部５３と、ユーザー操作による復帰イベントを検出するイベント検出部１０１と、省エネモードで復帰イベントが検出されると、可動部材の状態に応じた部分復帰（コピー、ＦＡＸ、データ通信）を実行させるモード切換部１０２とを備えている。【選択図】図１
2020044661.tif 000002
【特許請求の範囲】
【請求項１】
画像を形成する画像形成部を含む複数の機能実行部を備え、動作モードとして、前記機能実行部に電力供給を行う通常モードと前記機能実行部への電力供給を停止させる省エネモードとを有し、前記通常モードには、電力供給を行う前記機能実行部の組み合わせに応じた複数種類の部分復帰が設定されている画像形成装置であって、
状態を変位可能に支持された可動部材と、
前記可動部材の状態を検出する状態検出部と、
ユーザー操作による復帰イベントを検出するイベント検出部と、
前記省エネモードで前記復帰イベントが検出されると、前記可動部材の状態に応じた前記部分復帰を実行させるモード切換部と、を具備することを特徴とする画像形成装置。
【請求項２】
前記可動部材は、角度又は位置を変位可能に支持された表示部であり、
前記モード切換部は、前記表示部の角度又は位置に応じた前記部分復帰を実行させることを特徴とする請求項１記載の画像形成装置。
【請求項３】
前記イベント検出部は、予め設定された操作ボタンの操作を前記復帰イベントとして検出し、
前記モード切換部は、前記省エネモードで前記操作ボタンの操作が予め設定された所定時間以内に複数回検出されると、全ての前記機能実行部に電力供給を行う全復帰を実行させることを特徴とする請求項１又は２記載の画像形成装置。
【請求項４】
前記イベント検出部は、前記可動部材の変位を前記復帰イベントとして検出し、
前記モード切換部は、前記可動部材の変位速度が予め設定された速度閾値以上の場合、全ての前記機能実行部に電力供給を行う全復帰を実行させることを特徴とする請求項１又は２記載の画像形成装置。
【発明の詳細な説明】
【技術分野】
【０００１】
本発明は、消費電力を低減する省エネモードを有する画像形成装置に関する。
【背景技術】
【０００２】
省エネ状態からの復帰を要求する信号を受信したとき、復帰要求の内容によって、復帰する部分を限定する情報処理装置が提案されている（例えば、特許文献１参照）。
【先行技術文献】
【特許文献】
【０００３】
【特許文献１】特開２００６−１７２０４４号公報
【発明の概要】
【発明が解決しようとする課題】
【０００４】
しかしながら、従来技術では、ユーザーが復帰を指示することは考慮されていない。操作部の電源も切断された省エネ状態では、復帰する部分を指定することができない。従って、ユーザーが復帰を指示する場合、全復帰になってしまい、使い勝手が悪いという問題点があった。
【０００５】
本発明は、上記問題点を鑑みてなされたものであり、その目的とするところは、ユーザーが復帰させる部分を簡単に指定することができる画像形成装置を提供することを目的とする。
【課題を解決するための手段】
【０００６】
本発明の画像形成装置は、画像を形成する画像形成部を含む複数の機能実行部を備え、動作モードとして、前記機能実行部に電力供給を行う通常モードと前記機能実行部への電力供給を停止させる省エネモードとを有し、前記通常モードには、電力供給を行う前記機能実行部の組み合わせに応じた複数種類の部分復帰が設定されている画像形成装置であって、状態を変位可能に支持された可動部材と、前記可動部材の状態を検出する状態検出部と、ユーザー操作による復帰イベントを検出するイベント検出部と、前記省エネモードで前記復帰イベントが検出されると、前記可動部材の状態に応じた前記部分復帰を実行させるモード切換部と、を具備することを特徴とする。
【発明の効果】
【０００７】
本発明によれば、可動部材の状態に応じて、部分復帰を選択することができるため、ユーザーが復帰させる機能実行部を簡単に指定することができるという効果を奏する。
【図面の簡単な説明】
【０００８】
【図１】本発明に係る画像形成装置の実施の形態の概略構成を示すブロック図である。
【図２】図１に示す操作部の構成を示す斜視図である。
【図３】図１に示す記憶部に記憶されている復帰設定情報例を示す図である。
【図４】図１に示す電源部に設定されたモード設定例を示す図である。
【図５】図１に示すモード切換部による切り換え動作を説明するフローチャートである。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の画像形成装置１は、コピー機能と、ＦＡＸ機能と、データ通信機能とを備えたＭＦＰ（Multifunction Peripheral / Printer / Product）であり、図１を参照すると、原稿読取部２と、原稿給送部３と、画像形成部４と、操作部５と、記憶部６と、画像処理部７と、通信部８と、ファクス部９と、電源部１０と、制御部１００とを備えている。
【００１１】
原稿読取部２は、原稿に対して光を照射し、その反射光等を受光して原稿画像を読み取る読取ユニットであり、原稿が載置されるコンタクトガラスと、原稿給送部３の搬送経路に設けられたスリットガラスとを備えている。
【００１２】
原稿給送部３は、原稿載置面に載置された原稿を１枚ずつ順に繰り出して原稿読取部２に給送する。また、原稿給送部３と原稿読取部２とは、画像形成装置１の奥側でヒンジ機構によって回動可能に接続されており、原稿給送部３は、コンタクトガラスに対向して設けられた回動可能な原稿台カバーとして機能する。原稿給送部３を上方に開くことで、コンタクトガラス上面が開放され、コンタクトガラスに原稿をセットできる状態となる。
【００１３】
画像形成部４は、例えば、感光体ドラムと、帯電部、露光部と、現像部と、転写部と、クリーニング部と、定着部とを備え、形成した画像を記録紙に記録する。
【００１４】
操作部５は、図２を参照すると、液晶ディスプレイ等の表示部５１と、各種の操作ボタン５２とが設けられている。ユーザーは操作部５の操作ボタン５２を操作して指示を入力することで、画像形成装置１の各種の設定を行い、画像形成等の各種機能を実行させる。表示部５１は、画像形成装置１の状態を表示したり、画像形成状況や印刷部数を表示したり、タッチパネルとして、両面印刷や白黒反転等の機能や倍率設定、濃度設定など各種設定を行えるようになっている。操作ボタン５２としては、画像形成等の各種動作の開始を指示するスタートボタン、画像形成を中止する際等に使用するストップ／クリアボタン、画像形成装置１の各種設定をデフォルト状態にする際に使用するリセットボタン、通常モードと省エネモードとの切換を指示するスリープキー、テンキー等が設けられている。
【００１５】
操作部５は、画像形成装置１の前面に回動可能に取り付けられている。操作部５の回動軸Ｘは、画像形成装置１の左右方向に配置されている。これにより、表示部５１の角度を、ユーザーの身長等によって異なる目線位置に応じて調整可能となり、視認性が向上される。
【００１６】
操作部５には、操作部５の回動角度を検出する角度検出部５３が可動部品の状態を検出する状態検出部として設けられている。角度検出部５３は、表示部５１の回動範囲を垂直の０度から水平の９０度とした場合、表示部５１が０度以上３０度未満と、３０度以上６０度未満と、６０度以上９０度以下のいずれであるか検出する。角度検出部５３としては、例えば、操作部５に取り付けた角速度センサーや、回動軸Ｘの回転を検出する光センサー、磁気センサーを用いることができる。
【００１７】
記憶部６は、半導体メモリやＨＤＤ（Hard Disk Drive）等の記憶手段であり、原稿読取部２によって原稿を読み取ることで取得された画像データ等の各種画像データが記憶される。記憶部６には、角度検出部５３による検出結果と、部分復帰させる機能とを紐づけられた復帰設定情報６１が記憶されている。復帰設定情報６１は、ユーザーによって設定可能な情報である。図３に示す復帰設定情報６１では、角度検出部５３による検出結果が０度以上３０度未満である場合にコピー機能が、角度検出部５３による検出結果が３０度以上６０度未満である場合にＦＡＸ機能が、角度検出部５３による検出結果が６０度以上９０度以下場合にデータ通信機能がそれぞれ紐づけられている。
【００１８】
画像処理部７は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００１９】
通信部８は、ＬＡＮ等のネットワーク２０を介して、パーソナルコンピュータ等の周辺機器２１との間で各種データを送受信するデータ通信機能を有する。また、通信部８は、ネットワーク２０及びルーター２２を介してインターネット２３に接続可能に構成されている。そして通信部８は、インターネット２３に接続されている各種通信機器との間で各種データを送受信する機能を有する。
【００２０】
ファクス部９は、モデムを有し、原稿読取部２によって読み取られ、ファイル化された画像ファイルからファクシミリ信号を生成し、生成したファクシミリ信号を電話回線網２４を介して送信するＦＡＸ送信機能と、電話回線網２４を介してファクシミリ信号を受信し、受信したファクシミリ信号から画像ファイルを生成するファクシミリ受信機能とを備えている。なお、ファクシミリ受信機能により受信生成された画像ファイルは、記憶部６に記憶されたり、画像処理部７によって記録紙に記録されたりする。
【００２１】
電源部１０は、商用交流電源ＡＣを画像形成装置１の各部で利用可能な直流電圧ＤＣに変換し、図４に示すモード設定１１に基づいて、変換した直流電圧ＤＣを電源として画像形成装置１の各部に供給する。モード設定１１は、モードと、電源を供給する各部とを紐付けした情報である。モード設定１１には、各種機能を実行可能とする通常モードと、電源部１０から各部への直流電圧ＤＣの供給を適宜停止させて節電状態とする省エネモードとが設定されている。なお、電源部１０は、モードに拘わらず、操作部５の復帰要求を受け付ける復帰要求ボタン（例えば、スタートボタン等の操作ボタン５２）、通信部８のデータ受信機能、ファクス部９のファクス受信機能、制御部１００の復帰動作に係る機能には常に電源を供給している。
【００２２】
図４を参照すると、モード設定１１には通常モードとして「全復帰」と、「部分復帰（コピー）」と、「部分復帰（ＦＡＸ）」と「部分復帰（データ通信）」が設定されている。「全復帰」では、電源部１０は、操作部５、原稿給送部３、原稿読取部２、画像形成部４、通信部８及びファクス部９の全てに電源を供給する。
【００２３】
「部分復帰（コピー）」は、コピー機能を部分復帰させるモードであり、電源部１０は、通信部８及びファクス部９への電源の供給を停止としたまま、操作部５、原稿給送部３、原稿読取部２及び画像形成部４に電源を供給する。
【００２４】
「部分復帰（ＦＡＸ）」は、ＦＡＸ機能を部分復帰させるモードであり、電源部１０は、通信部８及び画像形成部４への電源の供給を停止としたまま、操作部５、原稿給送部３、原稿読取部２及びファクス部９に電源を供給する。
【００２５】
「部分復帰（データ通信）」は、データ通信機能を部分復帰させるモードであり、電源部１０は、画像形成部４及びファクス部９への電源の供給を停止としたまま、操作部５、原稿給送部３、原稿読取部２及び通信部８に電源を供給する。
【００２６】
制御部１００は、ＣＰＵ（Central Processing Unit）、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。制御部１００は、ＲＯＭに記憶されている制御プログラムを読み出し、制御プログラムをＲＡＭに展開させることで装置全体の制御を行う。
【００２７】
また、制御部１００は、イベント検出部１０１、モード切換部１０２として機能する。
【００２８】
イベント検出部１０１は、通常モードから省エネモードに移行させる移行イベントと、省エネモードから通常モードに復帰させる復帰イベントとを検出し、検出したイベントをモード切換部１０２に通知する。イベント検出部１０１は、通常モードにおいて、予め設定された操作ボタン５２の操作や、予め設定された各部の動作を移行イベントとして検出する。移行イベントとしては、「スリープキーの操作」、「無動作状態での指定時間経過」、省エネへの移行が設定された「省エネ移行指定時刻への到達」等がある。イベント検出部１０１は、省エネモードにおいて、予め設定された操作ボタン５２の操作や、予め設定された各部の動作を復帰イベントとして検出する。復帰イベントとしては、スタートボタン等の「操作ボタン５２の操作」、通常モードへの復帰が設定された「通常モード復帰指定時刻への到達」、ネットワーク２０やインターネット２３を介した「印刷指示の受信」、ネットワーク２０やインターネット２３を介した「各種データの受信」、電話回線網２４を介した「ファクシミリ信号の受信」等がある。
【００２９】
モード切換部１０２は、イベント検出部１０１によって検出されたイベント（移行イベント、復帰イベント）に基づいて、画像形成装置１の動作モードを切り換える。モード切換部１０２は、通常モードにおいて移行イベントが検出されると、省エネモードに切り換える。また、省エネモードにおいて、イベント検出部１０１によって復帰イベントが検出されると、通常モードに切り換える。
【００３０】
モード切換部１０２による省エネモードから通常モードへの切り換え動作について図５を参照して詳細に説明する。
【００３１】
省エネモードにおいて、イベント検出部１０１が復帰イベントを検出すると（ステップＳ１０１）、モード切換部１０２は、復帰イベントが予め設定された操作ボタン５２（以下、スタートボタンとする）の操作であるか否かを判断する（ステップＳ１０２）。
【００３２】
ステップＳ１０２で復帰イベントがスタートボタンの操作である場合、モード切換部１０２は、スタートボタンの所定時間以内の連続操作か否かを判断する（ステップＳ１０３）。
【００３３】
ステップＳ１０３で連続操作の場合、モード切換部１０２は、通常モードの全復帰に切り換え（ステップＳ１０４）、切り換え動作を終了させる。
【００３４】
ステップＳ１０３で連続操作でない場合、モード切換部１０２は、電源部１０によって角度検出部５３に電源を供給させる（ステップＳ１０５）。これにより、角度検出部５３は、表示部５１が０度以上３０度未満と、３０度以上６０度未満と、６０度以上９０度以下のいずれであるか検出する。
【００３５】
次に、モード切換部１０２は、表示部５１の角度に応じた通常モードの部分復帰に切り換え（ステップＳ１０６）、切り換え動作を終了させる。すなわち、モード切換部１０２は、復帰設定情報６１に基づいて、角度検出部５３による検出結果が０度以上３０度未満である場合、コピー機能が実行可能になる部分復帰（コピー）に切り換える。また、モード切換部１０２は、復帰設定情報６１に基づいて、角度検出部５３による検出結果が３０度以上６０度未満である場合、ＦＡＸ機能が実行可能になる部分復帰（ＦＡＸ）に切り換える。さらに、モード切換部１０２は、復帰設定情報６１に基づいて、角度検出部５３による検出結果が６０度以上９０度以下場合、データ通信機能が実行可能になる部分復帰（データ通信）に切り換える。これにより、ユーザーは、表示部５１の所望の角度に設定し、スタートボタンを操作するだけで、所望の部分復帰を実行することができる。
【００３６】
ステップＳ１０２で復帰イベントがスタートボタンの操作でない場合、モード切換部１０２は、復帰イベントに対応付けされた通常モードに切り換え（ステップＳ１０２）、切り換え動作を終了させる。
【００３７】
なお、操作部５の回動動作を復帰イベントとし、省エネモードから通常モードへの切り換え動作を、スタートボタンの操作を伴うことなく実行するようにしても良い。この場合、省エネモードでも操作部５の回動動作を検出可能にするため、角度検出部５３には常に電源を供給しておくと良い。
【００３８】
復帰イベントとして操作部５の回動動作が検出されると、モード切換部１０２は、回動停止時の表示部５１の角度に応じた通常モードの部分復帰に切り換える。これにより、ユーザーは、表示部５１を回動させて所望の角度に停止させるだけで、所望の部分復帰を実行することができる。
【００３９】
なお、操作部５の回動速度が予め設定された速度閾値以上であった場合、モード切換部１０２は、通常モードの全復帰に切り換えるようにしても良い。これにより、ユーザーは、表示部５１の素早く回動させるだけで、全復帰を実行することができる。
【００４０】
また、本実施の形態では、回動軸Ｘによって回動可能に支持された操作部５（表示部５１）を可動部材としたが、可動部材は操作部５（表示部５１）に限定されることなく、カードリーダー等の他の部材であっても良い。さらに、可動部材は、可動するアームに支持されていても良く、スライド可能に支持されていても良い。この場合には、可動部材の状態として可動部材の位置に応じた部分復帰を実行すると良い。
【００４１】
以上説明したように、本実施の形態によれば、画像を形成する画像形成部４を含む複数の機能実行部（原稿読取部２、原稿給送部３、操作部５、通信部８、ファクス部９）を備え、動作モードとして、機能実行部に電力供給を行う通常モードと機能実行部への電力供給を停止させる省エネモードとを有し、通常モードには、電力供給を行う機能実行部の組み合わせに応じた複数種類の部分復帰（コピー、ＦＡＸ、データ通信）が設定されている画像形成装置１であって、状態を変位可能に支持された可動部材である操作部５（表示部５１）と、可動部材の状態（角度）を検出する状態検出部である角度検出部５３と、ユーザー操作による復帰イベントを検出するイベント検出部１０１と、省エネモードで復帰イベントが検出されると、可動部材の状態に応じた部分復帰（コピー、ＦＡＸ、データ通信）を実行させるモード切換部１０２とを備えている。
この構成により、可動部材の状態に応じて、部分復帰を選択することができるため、ユーザーが復帰させる機能実行部を簡単に指定することができる。
【００４２】
さらに、本実施の形態において、可動部材は、角度又は位置を変位可能に支持された表示部５１であり、モード切換部１０２は、表示部５１の角度又は位置に応じた部分復帰を実行させる。
この構成により、表示部５１の角度又は位置に応じて部分復帰を簡単に選択することができる。
【００４３】
さらに、本実施の形態において、イベント検出部１０１は、予め設定された操作ボタン５２の操作を復帰イベントを検出し、モード切換部１０２は、省エネモードで操作ボタン５２の操作が予め設定された所定時間以内に複数回検出されると、全ての機能実行部に電力供給を行う全復帰を実行させる。
この構成により、操作ボタン５２の操作によって、部分復帰と全復帰とを簡単に選択することができる。
【００４４】
さらに、本実施の形態において、イベント検出部１０１は、可動部材の変位を復帰イベントを検出し、モード切換部１０２は、可動部材の変位速度が予め設定された速度閾値以上の場合、全ての機能実行部に電力供給を行う全復帰を実行させる。
この構成により、可動部材の変位速度によって、部分復帰と全復帰とを簡単に選択することができる。
【００４５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４６】
１  画像形成装置
２  原稿読取部
３  原稿給送部
４  画像形成部
５  操作部
６  記憶部
７  画像処理部
８  通信部
９  ファクス部
１０  電源部
１１  モード設定
２０  ネットワーク
２１  周辺機器
２２  ルーター
２３  インターネット
２４  電話回線網
５１  表示部
５２  操作ボタン
５３  角度検出部
６１  復帰設定情報
１００  制御部
１０１  イベント検出部
１０２  モード切換部
Ｘ  回動軸
【図１】
2020044661.tif 000003
【図２】
2020044661.tif 000004
【図３】
2020044661.tif 000005
【図４】
2020044661.tif 000006
【図５】
2020044661.tif 000007